(57)【要約】【課題】圃場において栽培している作物の環境を、その作物の生育ステージに応じて、適正に保てるよう、支援する。【解決手段】積算処理部７４は、圃場に設置された圃場観測装置によって測定された土壌温度データを、所定の日時から積算する。適正範囲決定部７６は、この積算値を基にして、圃場で栽培している作物の環境に関する所定の物理量の適正範囲を決定する。判断部７８は、取得された所定の物理量の測定データを、決定された適正範囲と比較し、この比較結果から、作物の環境が栽培に適した状態から逸脱したか否かを判断する。【選択図】図４
2015204789.tif 000002
【特許請求の範囲】
【請求項１】
圃場に設置された圃場観測装置によって測定された土壌温度データを、所定の日時から積算して、積算値を求める第１ステップと、
前記第１ステップで求められた積算値を得た親機、または、前記親機と通信によって、もしくは媒体を介してデータのやり取りが可能であるコンピュータが、前記積算値を基にして、前記圃場において栽培している作物の環境に関する所定の物理量の適正範囲を決定する第２ステップと、
前記親機または前記コンピュータが、前記圃場観測装置、または前記圃場観測装置以外のセンサによって取得された前記所定の物理量の測定データを、前記第２ステップで決定した適正範囲と比較し、この比較結果から、前記作物の環境が栽培に適した状態から逸脱したか否かを判断する第３ステップとを備えた
栽培支援方法。
【請求項２】
請求項１記載の栽培支援方法において、
前記所定の物理量は、土壌温度、気温、湿度、土壌湿度および照度のうち少なくともいずれか１つを含む
ことを特徴とする栽培支援方法。
【請求項３】
請求項１記載の栽培支援方法において、
前記親機または前記コンピュータは、複数種類の作物について、それぞれ、土壌温度データの積算値と前記所定の物理量の適正範囲との関係を特定するデータベースを準備しており、
前記第２ステップにおいて、前記親機または前記コンピュータは、前記圃場において栽培している作物に対応する前記データベースを選択して、参照する
ことを特徴とする栽培支援方法。
【請求項４】
請求項３記載の栽培支援方法において、
前記親機または前記コンピュータは、前記圃場について、栽培する作物の計画を特定する栽培情報を準備しており、
前記圃場観測装置から前記親機に、前記圃場観測装置が設置された圃場を特定する圃場特定情報が送信され、
前記第２ステップにおいて、前記親機または前記コンピュータは、送信された圃場特定情報を用いて前記栽培情報を参照することによって、前記圃場において栽培されている作物を特定する
ことを特徴とする栽培支援方法。
【請求項５】
請求項１記載の栽培支援方法において、
前記親機は、表示部を備え、前記第３ステップによる判断結果を前記表示部に表示する
ことを特徴とする栽培支援方法。
【請求項６】
請求項１記載の栽培支援方法において、
前記親機は、前記第３ステップによって前記作物の環境が栽培に適した状態から逸脱したと判断されたとき、音声または特定音を発して報知する
ことを特徴とする栽培支援方法。
【請求項７】
請求項１記載の栽培支援方法において、
前記親機は、栽培に関するユーザの作業ログが入力可能なように構成されており、
前記第１ステップにおいて、積算を開始する前記所定の日時は、前記作業ログを基にして設定される
ことを特徴とする栽培支援方法。
【請求項８】
請求項１記載の栽培支援方法において、
前記第２ステップにおいて、前記親機または前記コンピュータは、前記圃場の施設情報または住所を用いて、前記適正範囲の補正を行う
ことを特徴とする栽培支援方法。
【請求項９】
請求項１記載の栽培支援方法において、
前記親機が、前記圃場観測装置から土壌温度データを受信し、前記第１ステップを実行する
ことを特徴とする栽培支援方法。
【請求項１０】
請求項１記載の栽培支援方法において、
前記圃場観測装置が前記第１ステップを実行し、求めた積算値を、前記親機に送信する
ことを特徴とする栽培支援方法。
【請求項１１】
請求項１記載の栽培支援方法において、
前記第３ステップによる判断結果に基づいて、前記圃場の栽培設備の制御を行う
ことを特徴とする栽培支援方法。
【請求項１２】
圃場に設置された圃場観測装置から、前記圃場の土壌温度データを取得し、
前記圃場の所定の物理量の測定データを取得し、
前記取得された測定データが、前記取得された土壌温度データを所定の日時から積算して得られる積算値に基づいて定まる、前記圃場において栽培している作物の栽培環境に適した範囲から逸脱したか否かを示す情報を、ユーザ端末へ提供する
栽培支援方法。
【発明の詳細な説明】
【技術分野】
【０００１】
本発明は、圃場において栽培している作物の環境を適正に保つための栽培支援技術に関する。
【背景技術】
【０００２】
従来から、圃場において栽培している作物の環境の異常を自動検知したり、圃場環境の変化に応じて栽培設備を自動制御したりする技術が知られている。
【０００３】
例えば、特許文献１では、ハウス内の計測温度が異常高温または異常低温になったとき、これを検出して所定の局番に自動的に電話通報する構成が開示されている。また、特許文献２では、植物周囲の温度や湿度が管理範囲を逸するとブザーを鳴動させる構成が開示されている。あるいは、特許文献３では、ビニールハウス内の温度や湿度に応じて、開閉部のビニールを巻き上げたり巻き戻したりする構成が開示されている。
【先行技術文献】
【特許文献】
【０００４】
【特許文献１】実開平１−１４６６５６号公報
【特許文献２】特開昭６０−１８８０１５号公報
【特許文献３】特開昭６３−４４８１９号公報
【発明の概要】
【発明が解決しようとする課題】
【０００５】
近年では、作物の環境に関する温度や湿度等の適正範囲は、その作物の生育ステージに応じて変わっていくことが分かってきた。例えば、種を播いた直後と収穫前の時期とでは、適正な気温の範囲が必ずしも同じではなく、異なっている場合がある。このため、品質の高い作物を効率よく生産するためには、その作物の生育ステージに合わせて環境の適正範囲を変えつつ、環境の監視を行っていくことが好ましい。
【０００６】
ところが従来では、作物の生育ステージを把握することがきわめて困難であったため、特許文献１−３に開示されたように、温度や湿度等の適正範囲は、予め設定して固定しておくしかなかった。
【０００７】
本発明は、圃場において栽培している作物の環境を、その作物の生育ステージに応じて、適正に保つことができる栽培支援方法を提供する。
【課題を解決するための手段】
【０００８】
本発明の一態様では、栽培支援方法は、圃場に設置された圃場観測装置によって測定された土壌温度データを、所定の日時から積算して、積算値を求める第１ステップと、前記第１ステップで求められた積算値を得た親機、または、前記親機と通信によって、もしくは媒体を介してデータのやり取りが可能であるコンピュータが、前記積算値を基にして、前記圃場において栽培している作物の環境に関する所定の物理量の適正範囲を決定する第２ステップと、前記親機または前記コンピュータが、前記圃場観測装置、または前記圃場観測装置以外のセンサによって取得された前記所定の物理量の測定データを、前記第２ステップで決定した適正範囲と比較し、この比較結果から、前記作物の環境が栽培に適した状態から逸脱したか否かを判断する第３ステップとを備える。
【発明の効果】
【０００９】
本発明によると、作物の生育ステージに関連づけられる土壌温度データの積算値に基づいて、作物の環境に関する温度等の適正範囲が決定される。そしてこの適正範囲と、温度等の測定データとが比較され、作物の環境が栽培に適した状態から逸脱したか否かが判断される。したがって、圃場の作物の環境を、その作物の生育ステージに応じて、適正に保つことができる。
【図面の簡単な説明】
【００１０】
【図１】実施の形態に係る圃場観測システムのイメージ図
【図２】圃場観測装置の外観の例
【図３】実施の形態に係る圃場観測システムの機能構成図
【図４】管理装置の制御部周辺の機能とデータフローを示す図
【図５】積算土壌温度と環境物理量の適正範囲との関係の例であり、（ａ）はほうれん草用、（ｂ）はなす用
【図６】栽培計画情報の例
【図７】実施の形態における処理の流れの一例を示すフローチャート
【図８】積算土壌温度と環境物理量の適正範囲との関係の他の例
【図９】クラウドコンピュータを利用する構成のイメージ図
【発明を実施するための形態】
【００１１】
以下、実施の形態について、図面を参照して説明する。
【００１２】
図１は実施の形態に係る圃場観測システムのイメージ図である。図１において、圃場観測装置（子機）１００は、例えばほうれん草、なすなどの農作物を栽培する圃場に設置されており、土壌温度、土壌湿度、気温、湿度、照度などを測定し、測定データを無線で発信する。管理装置２００は、例えば農作業を行うユーザ１が携帯しており、圃場観測装置１００の親機として動作する。管理装置２００を携帯したユーザ１が圃場観測装置１００に近づくと、管理装置２００から圃場観測装置１００に送信要求がなされ、圃場観測装置１００は管理装置２００にデータを送信する。このような通信形態は、ＮＦＣ(Near Field Communication)などの既存の近距離無線通信や、特定小電力無線通信などによって実現可能である。また、例えば観測の初期設定などにおいて、管理装置２００から圃場観測装置１００に設定データを送信する。管理装置２００は、データ表示や操作入力が可能なように、タッチパネル５０を有している。
【００１３】
図２は圃場観測装置１００の外観の例である。図２の例では、圃場観測装置１００は、圃場に埋設される地中埋設部１１０と、装置本体１２０とを備えている。地中埋設部１１０には、土壌温度センサ１１および土壌湿度センサ１２が内蔵されている。また、地中埋設部１１０の表面には、埋設深さの目安となる基準線１８が付されている。装置本体１２０には、気温センサ１３、湿度センサ１４および照度センサ１５が設けられている。また、圃場観測装置１００にはバッテリ（図示せず）が内蔵されており、このバッテリによって動作するものとする。
【００１４】
図３は実施の形態に係る圃場観測システムの機能構成図である。図３において、圃場観測装置１００は、センシング部１０と、制御部２０と、メモリ３０と、通信部４０とを備えている。センシング部１０はここでは、地中埋設部１１０に内蔵された土壌温度センサ１１および土壌湿度センサ１２、並びに、装置本体１２０に設けられた気温センサ１３、湿度センサ１４および照度センサ１５を含む。制御部２０は、センシング部１０に含まれた各センサ１１−１５によって取得された測定データを、所定の周期でもって、メモリ３０に格納する。この場合、各センサ１１−１５の測定周期は全て同じである必要はない。例えば、照度センサ１４は３０分周期、土壌温度センサ１１，気温センサ１３および湿度センサ１４については１時間周期、土壌湿度センサ１２については１２時間周期、というように、異なるセンシング周期を設定してもよい。通信部４０は、メモリ３０に格納されたデータを管理装置２００に送信し、また、管理装置２００から送信された設定データなどを受信する。破線で示したように、圃場観測装置１００は演算処理部２５を備えていてもかまわない。
【００１５】
管理装置２００は、通信部６０と、制御部７０と、メモリ８０とを備えている。通信部６０は、圃場観測装置１００から送信されたデータを受信し、また、設定データを圃場観測装置１００に送信する。制御部７０は、通信部６０が受信したデータをメモリ８０に格納したり、メモリ８０に格納されたデータの演算処理を行ったりする。また管理装置２００は、表示部５１と、操作入力部５２と、報知部９０とを備えている。本実施の形態では、表示部５１および操作入力部５２がタッチパネル５０として実現されているが、これに限られるものではない。
【００１６】
ここで、課題の項で述べたとおり、作物の環境に関する温度等の適正範囲は、その作物の生育ステージに応じて変わっていく。このため、品質の高い作物を効率よく生産するためには、その作物の生育ステージに合わせて環境の適正範囲を変えつつ、環境の監視を行っていくことが好ましい。また、本願発明者らの実験によって、作物の生育ステージは、その圃場の土壌温度データの積算値（積算地温）に関連付けられることが分かってきた。
【００１７】
そこで、本実施形態では、土壌温度データの積算値を活用して、栽培している作物の環境をその生育ステージに応じて適正に保てるよう、支援する方法を開示する。すなわち、圃場に設置された圃場観測装置１００によって測定された土壌温度データを、所定の日時から積算して、積算値を求める。そして、この積算値を基にして、栽培している作物の環境に関する所定の物理量、例えば温度等の適正範囲を決定する。決定した適正範囲を実際の測定データと比較し、この比較結果から、作物の環境が栽培に適した状態から逸脱したか否かを判断する。
【００１８】
ここでは、管理装置２００の制御部７０が、土壌温度データの積算演算、作物の環境の適正範囲の決定、作物の環境が栽培に適した状態から逸脱したか否かの判断などの処理を行うものとする。土壌温度の測定データをＴ［℃］、測定間隔をΔｔ［ｈ］とすると、土壌温度データの積算値は例えば次式で求められる。
【数１】
2015204789.tif 000003
なお、土壌温度が摂氏マイナスの値になると、積算値が徐々に小さくなっていくという問題が生じる。この問題を回避するためには、例えば、土壌温度の単位を華氏（Ｆ）にするという方法が考えられる。あるいは、土壌温度データに所定のオフセット値を加えた上で積算演算を行うようにしてもかまわない。
【００１９】
なお、管理装置２００の制御部７０等は、プロセッサとコンピュータプログラムとによって構成されていてもよい。コンピュータプログラムは、メモリ８０、または図示しない別の記憶部に記憶される。同様に、圃場観測装置１００の制御部２０等は、プロセッサとコンピュータプログラムとによって構成されていてもよい。コンピュータプログラムは、メモリ３０、または図示しない別の記憶部に記憶される。
【００２０】
図４は管理装置２００における制御部７０およびその周辺の機能ブロックとデータフローを示す図である。図４において、データ取得部７２、積算処理部７４、適正範囲決定部７６および判断部７８は制御部７０によって実現されている。第１格納部８２、第２格納部８４、関係データベース（ＤＢ）８６および第３格納部８８はメモリ８０によって実現されている。第１格納部８２は圃場観測装置１００によって測定された土壌温度データを格納する。第２格納部８４は圃場において栽培する作物の計画等を特定する栽培情報を格納する。関係ＤＢ８６は土壌温度データの積算値（積算地温）と環境物理量の適正範囲との関係を特定する。第３格納部８８は栽培に関するユーザの作業ログを保存する。
【００２１】
データ取得部７２は、圃場観測装置１００から送信された土壌温度データを、通信部６０を介して取得し、第１格納部８２に保存する。またデータ取得部７２は、圃場観測装置１００から送信された温度等の測定データを、通信部６０を介して取得し、判断部７８に送る。積算処理部７４は、第１格納部８２から土壌温度データを読み出して積算演算を行う。適正範囲決定部７６は、関係ＤＢ８６を参照して、積算処理部７４から受けた積算地温に基づいて、圃場の環境物理量の適正範囲を決定する。
【００２２】
関係ＤＢ８６では、例えば、複数種類の作物について、それぞれ、土壌温度データの積算値と環境物理量の適正範囲との関係を特定するデータベースが準備されている。この場合は、適正範囲決定部７６は、圃場において栽培している作物に対応するデータベースを選択して、参照すればよい。圃場において栽培している作物の特定は、例えば、ユーザ１が操作入力部５１を介して行ってもよいし、あるいは、後述するように、圃場観測装置１００から送信された圃場特定情報を用いて自動的に行うことも可能である。
【００２３】
判断部７８は、データ取得部７２から受けた測定データを、適正範囲決定部７６で決定された適正範囲と比較して、作物の環境が栽培に適した状態から逸脱したか否かを判断する。判断部７８による判断結果は、例えば、表示部５１に表示される。または、判断部７８によって作物の環境が栽培に適した状態から逸脱したと判断されたとき、報知部９０が音声または特定音を発して報知する。
【００２４】
また、データ取得部７２が圃場観測装置１００から送信された圃場ＩＤを取得し、この圃場特定情報の一例としての圃場ＩＤを用いて第２格納部８４に格納された栽培情報を参照してもよい。これにより、作物情報、すなわち当該圃場で栽培されている作物の種類に関する情報を得ることができる。すなわち、圃場観測装置１００から送信された圃場特定情報を用いて、圃場において栽培されている作物を自動的に特定することができる。得られた作物情報は適正範囲決定部７６に送られ、例えば、関係ＤＢ８６内のデータベースの選択に用いられる。
【００２５】
また、圃場ＩＤを用いて第２格納部８４に格納された栽培情報を参照することによって、圃場情報、すなわち当該圃場の施設情報や住所等に関する情報を得るようにしてもよい。施設情報とは例えば、ハウスであるか、露地であるか、ハウスである場合には、２重貼りハウスか、ガラス張りハウスか、等である。この圃場情報は判断部７８に送られ、例えば、適正範囲決定部７６で決定された適正範囲の補正に用いられる。すなわち、圃場の施設情報や住所を用いて、環境物理量の補正を行うようにしてもよい。例えば、ハウスか露地かに応じて照度の適正範囲を補正してもよいし、住所によって定まる気候や土地の高度等に応じて土壌温度の適正範囲を補正してもよい。
【００２６】
図５は関係ＤＢ８６に格納されたデータベースの一例であり、（ａ）はほうれん草の例、（ｂ）はなすの例である。図５（ａ）の例では、生育ステージが積算地温の値に従って５段階に分けられており、各段階において、土壌温度、気温、湿度、土壌湿度および照度について適正範囲が定められている。図５（ｂ）の例では、生育ステージが積算地温の値に従って４段階に分けられており、各段階において、土壌温度、気温、湿度、土壌湿度および照度について適正範囲が定められている。
【００２７】
図６は第２格納部８４に格納された栽培情報の一例である。図６の例では、４つの圃場があり、例えば圃場ＩＤ「２」の圃場では、１−３月に大根を、４−７月にメロンを、９−１１月になすを、それぞれ栽培することが表されている。
【００２８】
図７は本実施形態に係る栽培支援方法における処理および栽培作業の流れの例を示すフローチャートである。
【００２９】
ユーザ１は、圃場に圃場観測装置１００を設置し、電源をオンする（Ｓ１１）。そして、管理装置２００で栽培情報を参照し、当該圃場において栽培する作物を確認する（Ｓ１２）。ここでは例えば、圃場ＩＤ「１」の圃場においてほうれん草を栽培するものとする。ユーザ１は、ほうれん草の種を播く作業を行う（Ｓ１３）。そして、管理装置２００に作業ログとして「播種」を入力する（Ｓ１４）。この作業ログ「播種」の入力によって、土壌温度データの積算演算の開始日時が決定される。
【００３０】
その後、ほうれん草が収穫されるまで、管理装置２００によって、ほうれん草の環境が栽培に適した状態に保たれているか否かを監視する（Ｓ１５−Ｓ２１）。すなわち、管理装置２００を持ったユーザ１が圃場観測装置１００に近づいたとき、管理装置２００は、圃場観測装置１００から未送信の測定データを受信する（Ｓ１５）。この測定データのうち土壌温度データはメモリ８０に保存される（Ｓ１６）。制御部７０は、保存された土壌温度データについて積算演算を行い（Ｓ１７）、得られた積算値を基にして、関係ＤＢ８６から環境物理量の適正範囲を読み出す（Ｓ１８）。さらに、読み出した適正範囲を、圃場ＩＤ「１」の圃場情報、例えば住所によって補正する（Ｓ１９）。なお、この補正処理は省いてもかまわない。
【００３１】
そして、ステップＳ１５で受信した測定データについて、ステップＳ１８，Ｓ１９で決定された適正範囲と比較し（Ｓ２０）、この比較結果から、ほうれん草の環境が栽培に適した状態から逸脱したか否かを判断する（Ｓ２１）。逸脱していると判断されたとき（Ｓ２１でＹｅｓ）は、例えば報知部９０によって報知を行う（Ｓ２２）。報知に気づいたユーザ１は、報知を解除し（Ｓ２３）、ほうれん草の環境が栽培に適した状態に戻るよう、圃場の現場で対策を行う。一方、逸脱していないと判断されたとき（Ｓ２１でＮｏ）は、ステップＳ１５に戻り、ほうれん草の環境の監視を続行する。
【００３２】
ユーザ１は、ほうれん草を収穫すると（Ｓ３１）、管理装置２００に作業ログとして「収穫」を入力する（Ｓ３２）。この作業ログ「収穫」の入力によって、土壌温度データの積算演算、適正範囲の決定、測定データとの比較等の処理が停止される。
【００３３】
なお、ステップＳ２１における判断方法については、様々なものが考えられる。例えば、測定データが適正範囲を一度でも外れたとき、栽培に適した状態から逸脱したと判断してもよいし、あるいは、測定データが適正範囲を所定日数以上連続して外れたとき、栽培に適した状態から逸脱したと判断してもよい。また、測定データが適正範囲を所定期間に所定日数以上外れたとき、例えば１週間に３日以上逸脱したとき、栽培に適した状態から逸脱したと判断してもよい。
【００３４】
また、複数種類の物理量を組み合わせて判断してもかまわない。例えば、気温が適正範囲から一度外れて、かつ、照度が３日以上連続して適正範囲から外れたとき、栽培に適した状態から逸脱したと判断してもよい。あるいは、気温が適正範囲から一度外れたとき、または、湿度が３日以上連続して適正範囲から外れたときのいずれかの場合に、栽培に適した状態から逸脱したと判断するようにしてもよい。
【００３５】
さらに、上で示したような判断方法を、作物の種類毎に変えてもかまわないし、圃場毎に変えてもかまわない。
【００３６】
以上のように本実施形態によると、圃場に設置された圃場観測装置１００によって測定された土壌温度データが、管理装置２００によって、所定の日時から積算されて積算値が求められる。そして管理装置２００が、この作物の生育ステージに関連づけられる土壌温度データの積算値に基づいて、作物の環境に関する温度等の適正範囲を決定し、この適正範囲と温度等の測定データとを比較し、作物の環境が栽培に適した状態から逸脱したか否かを判断する。したがって、圃場の作物の環境を、その作物の生育ステージに応じて、適正に保つことができるよう、農作業を行うユーザ１を支援することができる。
【００３７】
（その他の実施形態）
上述の実施形態では、土壌温度、気温、湿度、土壌湿度および照度について、それぞれ適正範囲を決定するものとしたが、これに限られるものではく、適正範囲を決定する所定の物理量は、土壌温度、気温、湿度、土壌湿度および照度のうち少なくともいずれか１つを含んでいればよい。
【００３８】
また、生育ステージ毎に、適正範囲を特定する環境物理量の種類が変わってもかまわない。例えば、播種後のステージ１では気温に関して適正範囲を決定し、次のステージ２では照度および土壌湿度に関して適正範囲を決定する、というようにしていてもかまわない。
【００３９】
また、同じ生育ステージであっても、例えば時間帯に応じて異なる適正範囲を設定してもかまわない。図８は関係ＤＢ８６に格納されたデータベースの他の例であり、気温に関して、日中と夜間とで異なる適正範囲が設定されている。
【００４０】
また、上述の実施形態では、土壌温度センサの積算を開始するタイミングは、栽培に関するユーザの作業ログを基にして設定されるものとしたが、これに限られるものでない。例えば、ユーザが管理装置２００を操作して積算を開始する日時を設定してもかまわない。また、上述の実施形態では、ほうれん草の栽培において作業「播種」から積算を開始する例を示したが、これに限られるものではなく、作物の種類や圃場等に応じて適切な開始タイミングを設定すればよい。
【００４１】
また、上述の実施形態では、圃場観測装置１００によって測定されたデータが適正範囲と比較されるものとしたが、これに限られるものではなく、圃場観測装置以外のセンサによって測定された測定データを適正範囲と比較するようにしてもかまわない。
【００４２】
また、上述の実施形態では、土壌温度データの積算値と環境物理量の適正範囲との関係をデータベースの形式で準備しておくものとしたが、これに限られるものではない。例えば関数によって、土壌温度データの積算値と環境物理量の適正範囲との関係を特定してもかまわない。
【００４３】
また、上述の実施形態では、土壌温度データの積算値から環境物理量の適正範囲を決定するものとしたが、土壌温度データの積算値とともに、他のパラメータを加味して、環境物理量の適正範囲を決定してもかまわない。例えば、気温の適正範囲を、土壌温度データの積算値と照度データとを併せて用いて、決定するようにしてもよい。
【００４４】
また、上述の実施形態では、決定した環境物理量の適正範囲を、圃場情報によって補正する例を示したが、これに限られるものではなく、例えば土壌検査結果を用いて、環境物理量の適正範囲を補正してもよい。この場合は、例えばユーザ１が所有する圃場の土壌検査結果を管理装置２００に入力し、判断部７８が、この土壌検査結果を基にして、環境物理量の適正範囲を補正するようにすればよい。
【００４５】
また、上述の実施形態では、管理装置２００が、土壌温度データの積算演算、作物の環境の適正範囲の決定、作物の環境が栽培に適した状態から逸脱したか否かの判断などの処理を行うものとしたが、これに限られるものではない。
【００４６】
例えば、土壌温度データの積算演算は、土壌温度データを測定した圃場観測装置１００自体が実行するものとし、求めた積算値を管理装置２００に送信するものとしてもよい。この場合は、図２に示した圃場観測装置１００内の演算処理部２５が積算演算を行えばよい。
【００４７】
また、作物の環境の適正範囲の決定処理や、作物の環境が栽培に適した状態から逸脱したか否かの判断処理は、管理装置２００以外のコンピュータによって実行してもかまわない。このコンピュータは、管理装置２００との間で、例えば通信によって、あるいは、媒体を介して、データのやり取りが可能であればよい。例えば、ユーザの自宅にあるＰＣが、管理装置２００から例えばメモリカードを介してデータを受けて処理を実行してもかまわない。あるいは、クラウドコンピュータがインターネットを介して管理装置２００からデータを受けて処理を実行してもかまわない。
【００４８】
図９はクラウドコンピュータを利用する構成のイメージである。図９の構成において、例えば、管理装置２００は、土壌温度データの積算値と、気温等の測定データとを、インターネット２を介して、サービス提供者サーバ３に送信する。そして、サービス提供者サーバ３が、上述の実施形態で示した処理を行い、インターネット２を介してその処理結果を管理装置２００に送信する。この構成では、サービス提供者が、土壌温度データの積算値と環境適正範囲との関係に関する情報（関係ＤＢ８６）を、ノウハウとしてユーザから秘匿することができる。また、例えば品種の改良等が行われた場合に、その情報を種苗会社サーバ５から得て、関係ＤＢ８６を速やかに更新することができる。
【００４９】
また、上述の実施形態では、作物の環境が栽培に適した状態から逸脱したとき、その旨を表示部５１に表示したり、あるいは報知部９０によって報知したりするものとしたが、これらに限られるものではない。例えば、ビニールハウスの開閉部の開け閉めや空調の温度・湿度調節など、圃場の栽培設備の制御を、作物の環境が栽培に適した状態から逸脱したか否かの判断結果に基づいて行うようにしてもかまわない。
【産業上の利用可能性】
【００５０】
本発明では、圃場において栽培している作物の環境を、その作物の生育ステージに応じて適正に保つことができるので、例えば、品質の高い野菜や果物を効率よく生産するのに有効である。
【符号の説明】
【００５１】
１  ユーザ
２  インターネット
３  サービス提供者サーバ
１０  センシング部
１１  土壌温度センサ
１２  土壌湿度センサ
１３  気温センサ
１４  湿度センサ
１５  照度センサ
５１  表示部
７０  制御部
７２  データ取得部
７４  積算処理部
７６  適正範囲決定部
７８  判断部
８２  第１格納部
８４  第２格納部
８６  関係データベース
８８  第３格納部
９０  報知部
１００  圃場観測装置（子機）
２００  管理装置（親機）
【図２】
2015204789.tif 000004
【図３】
2015204789.tif 000005
【図４】
2015204789.tif 000006
【図５】
2015204789.tif 000007
【図６】
2015204789.tif 000008
【図７】
2015204789.tif 000009
【図８】
2015204789.tif 000010
【図９】
2015204789.tif 000011
【図１】
2015204789.tif 000012